(57)【特許請求の範囲】
【請求項１】
押下可能及びスライド可能に支持され、第１押圧部及び第２押圧部を有する操作体と、
一対の第３押圧部を有し、前記一対の第３押圧部の間に位置する揺動軸を支点として揺動可能に支持されるプランジャと、
前記操作体が押下された場合に、前記第１押圧部によってオンオフ動作される押下スイッチ素子と、
前記操作体がスライドし、前記プランジャが前記第２押圧部によって揺動された場合に、前記一対の第３押圧部の何れかによってオンオフ動作される揺動スイッチ素子と、
を有することを特徴とする多方向スイッチ。
【請求項２】
揺動に対抗して前記プランジャに付勢力を付与する弾性部材を更に有する、請求項１に記載の多方向スイッチ。
【請求項３】
前記プランジャは、前記第１押圧部を貫通させる貫通孔を更に有する、請求項１又は２に記載の多方向スイッチ。
【請求項４】
前記プランジャは、前記第２押圧部によって押圧される傾斜面を更に有する、請求項１〜３の何れか一項に記載の多方向スイッチ。
【請求項５】
前記操作体をスライド可能に支持するフレームを更に有する、請求項１〜４の何れか一項に記載の多方向スイッチ。
【請求項６】
前記フレームは、前記プランジャの揺動軸を保持する凹部を有する、請求項５に記載の多方向スイッチ。
【請求項７】
前記フレームは、前記操作体を上下動させるための溝部を有する、請求項５又は６に記載の多方向スイッチ。
【請求項８】
前記操作体は、操作釦、前記操作釦を上下可能に保持する保持部を有し、
前記操作釦が押下された場合に、前記第１押圧部が前記押下スイッチ素子のオンオフ動作を行う、請求項１〜６の何れか一項に記載の多方向スイッチ。
【発明の詳細な説明】
【技術分野】
【０００１】
本発明は、押下操作及びスライド操作可能な多方向スイッチに関する。
【背景技術】
【０００２】
携帯電話、ポータブルステレオ、ビデオカメラ、デジタルカメラ、車載オーディオ等のデバイスに搭載されるスイッチとして、多方向スイッチが知られている。
【０００３】
特許文献１には、各コンタクトを有するベースと、回転部を有するプッシャーと、プッシュ可能且つスライド可能なスライダーとから成る多方向スイッチが記載されている。当該多方向スイッチは、スライダーがスライドされると、スライダーがプッシャーに取り付けられている回転部をねじることによりコンタクトが押圧されて反転し、スライド用回路が短絡される構成を有している。
【先行技術文献】
【特許文献】
【０００４】
【特許文献１】特開２０００−２８５７６５号公報
【発明の概要】
【発明が解決しようとする課題】
【０００５】
しかしながら、プッシャーに取り付けられている回転部をスライダーによって無理矢理ねじる構成では、コンタクトを押圧するためのスライド操作に要する力が大きくなり、部材の耐久性能が劣ってしまう。
【０００６】
そこで、本発明は、上述した問題点を解消することを可能とした多方向スイッチを提供することを目的とする。
【０００７】
また、本発明は、軽い力で、スライド操作によるスイッチ素子のオンオフ動作ができる多方向スイッチを提供することを目的とする。
【課題を解決するための手段】
【０００８】
本発明に係る多方向スイッチは、押下可能及びスライド可能に支持され、第１押圧部及び第２押圧部を有する操作体と、揺動軸を支点として揺動可能に支持され、第３押圧部を有するプランジャと、操作体が押下された場合に、第１押圧部によってオンオフ動作される押下スイッチ素子と、操作体がスライドし、プランジャが第２押圧部によって揺動された場合に、第３押圧部によってオンオフ動作される揺動スイッチ素子と、を有することを特徴とする。
【０００９】
本発明に係る多方向スイッチでは、揺動に対抗してプランジャに付勢力を付与する弾性部材を更に有することが好ましい。
【００１０】
本発明に係る多方向スイッチでは、プランジャは、第１押圧部を貫通させる貫通孔を更に有することが好ましい。
【００１１】
本発明に係る多方向スイッチでは、プランジャは、第２押圧部によって押圧される傾斜面を更に有することが好ましい。
【００１２】
本発明に係る多方向スイッチでは、操作体をスライド可能に支持するフレームを更に有することが好ましい。
【００１３】
本発明に係る多方向スイッチでは、フレームは、プランジャの揺動軸を保持する凹部を有することが好ましい。
【００１４】
本発明に係る多方向スイッチでは、フレームは、操作体を上下動させるための溝部を有することが好ましい。
【００１５】
本発明に係る多方向スイッチでは、操作体は、操作釦、操作釦を上下可能に保持する保持部を有し、操作釦が押下された場合に、第１押圧部が押下スイッチ素子のオンオフ動作を行うことが好ましい。
【発明の効果】
【００１６】
本発明によれば、軽い力で、スライド操作によるスイッチ素子のオンオフ動作ができる多方向スイッチを提供することが可能となる。
【図面の簡単な説明】
【００１７】
【図１】（ａ）は本発明に係る多方向スイッチ１の斜視図であり、（ｂ）は多方向スイッチ１の分解斜視図である。
【図２】（ａ）は操作体３０の上面斜視図であり、（ｂ）は操作体３０の下面斜視図である。
【図３】（ａ）はプランジャ４０の上面斜視図であり、（ｂ）はプランジャ４０の下面斜視図であり、（ｃ）はプランジャ４０の（ａ）に示す方向４０Ｄから観た図である。
【図４】（ａ）は弾性部材５０の斜視図であり、（ｂ）は弾性部材５０の平面図であり、（ｃ）は弾性部材５０の（ａ）に示す方向５０Ｄから観た図である。
【図５】（ａ）はフレーム６０の上面斜視図であり、（ｂ）はフレーム６０の下面斜視図である。
【図６】（ａ）は基板７０の斜視図であり、（ｂ）は基板７０の平面図である。
【図７】配線パターンを説明するための図である。
【図８】多方向スイッチ１の図１（ａ）に示すＡＡ’線に沿った断面図である。
【図９】押下操作時の多方向スイッチ１の図１（ａ）に示すＡＡ’線に沿った断面図である。
【図１０】方向Ｓ２へのスライド操作時の多方向スイッチ１の図１（ａ）に示すＡＡ’線に沿った断面図である。
【図１１】方向Ｓ３へのスライド操作時の多方向スイッチ１の図１（ａ）に示すＡＡ’線に沿った断面図である。
【図１２】本発明に係る他の多方向スイッチ２の分解斜視図である。
【図１３】押下操作時の多方向スイッチ２の図１２に示すＢＢ’線に沿った断面図である。
【発明を実施するための形態】
【００１８】
以下、添付図面を参照して、本発明に係る多方向スイッチについて詳細に説明する。ただし、本発明の技術的範囲はそれらの実施の形態に限定されず、特許請求の範囲に記載された発明とその均等物に及ぶ点に留意されたい。
【００１９】
図１（ａ）は本発明に係る多方向スイッチ１の斜視図であり、図１（ｂ）は多方向スイッチ１の分解斜視図である。
【００２０】
多方向スイッチ１は、上から順にカバー２０が嵌め込まれたフレーム６０が基板７０の上面に接着されてなる組立体の内部に、操作体３０と、プランジャ４０と、弾性部材５０とが収容されて形成されている。多方向スイッチ１の上面においては、カバー２０の貫通孔から操作体３０の操作部３１が覗いている。
【００２１】
図２（ａ）は操作体３０の上面斜視図であり、図２（ｂ）は操作体３０の下面斜視図である。
【００２２】
操作体３０は、ウィング３２ａ、３２ｂ、３２ｃ、３２ｄを有し平面視略Ｘ字形状をした基部３２の上面略中央に凹部３１Ｒを有する操作部３１が設けられ、基部３２の下面略中央に第１押圧部３４が設けられた構成を有している。ウィング３２ａには突起部３３ａが、ウィング３２ｂには突起部３３ｂが、ウィング３２ｃには突起部３３ｃが、ウィング３２ｄには突起部３３ｄが、それぞれ設けられている。ウィング３２ａとウィング３２ｃとの間のくびれ部分には第２押圧部３５Ａが、ウィング３２ｂとウィング３２ｄとの間のくびれ部分には第２押圧部３５Ｂが、それぞれ設けられている。
【００２３】
図３（ａ）はプランジャ４０の上面斜視図であり、図３（ｂ）はプランジャ４０の下面斜視図であり、図３（ｃ）はプランジャ４０の図３（ａ）に示す方向４０Ｄから観た図である。
【００２４】
プランジャ４０は、中央に貫通孔４３が設けられた平面視略十字の形状をしている。プランジャ４０の上面には、長手方向において貫通孔４３を挟むようにして、傾斜面４２Ａを有する突起４１Ａと、傾斜面４２Ｂを有する突起４１Ｂとが設けられている。更にプランジャ４０の上面において、短手方向における端部にリブ４６ａ、４６ｂが設けられている。
【００２５】
リブ４６ａには隆起部４７ａが、リブ４６ｂには隆起部４７ｂがそれぞれ設けられている。プランジャ４０の裏面には、突起４１Ａの反対側に第３押圧部４４Ａが、突起４１Ｂの反対側に第３押圧部４４Ｂがそれぞれ設けられている。第３押圧部４４Ａの脇には段差を隔てて面４５Ａが、第３押圧部４４Ｂの脇には段差を隔てて面４５Ｂが、それぞれ設けられている。
【００２６】
図４（ａ）は弾性部材５０の斜視図であり、図４（ｂ）は弾性部材５０の平面図であり、図４（ｃ）は弾性部材５０の図４（ａ）に示す方向５０Ｄから観た図である。
【００２７】
弾性部材５０は、対向して配置され同一の平面視凸形状を有する平坦な基部５１ａ、５１ｂの両端部から、同一の平面視略コの字形状を有する弾性変位部５３Ａ、５３Ｂが対称的に延伸している。基部５１ａのうち弾性部材５０の外側に突出した部分をリブ５２ａとし、基部５１ｂのうち弾性部材５０の外側に突出した部分をリブ５２ｂとする。
【００２８】
基部５１ａ、５１ｂと変位部５３Ａとは角度θ１をなし、又、基部５１ａ、５１ｂと変位部５３Ｂとはθ１と同一の角度である角度θ２をなしている。変位部５３Ａのうち弾性部材５０の長手方向端部には、エッジが湾曲し基部５１ａ、５１ｂと略平行な面５４Ａが形成されており、変位部５３Ｂのうち弾性部材５０の長手方向端部には、エッジが湾曲し基部５１ａ、５１ｂと略平行な面５４Ｂが形成されている。
【００２９】
図５（ａ）はフレーム６０の上面斜視図であり、図５（ｂ）はフレーム６０の下面斜視図である。
【００３０】
フレーム６０は、中央に略方形の貫通孔６５が設けられており、平面視略方形の外周を有している。フレーム６０の長手方向の一辺の上面には溝部６１ａ、６１ｂが、他方の辺の上面には溝部６１ｃ、６１ｄがそれぞれ設けられている。フレーム６０の上面のうち、溝部６１ａ及び溝部６１ｂに挟まれた部分を面６４ａ、溝部６１ｃ及び溝部６１ｄに挟まれた部分を面６４ｂとする。フレーム６０の上面のうち、フレーム６０に沿って溝部６１ａ及び溝部６１ｃに挟まれた部分を面６４ｃ、フレーム６０に沿って溝部６１ｂ及び溝部６１ｄに挟まれた部分を面６４ｄとする。
【００３１】
面６４ａの下部には凹部６２ａが、面６４ｂの下部には凹部６２ｂがそれぞれ設けられている。凹部６２ａを形成する面のうちフレーム６０の上面側には面６３ａが配置され、凹部６２ｂを形成する面のうちフレーム６０の上面側には面６３ｂが配置されている。
【００３２】
図６（ａ）は基板７０の斜視図であり、図６（ｂ）は基板７０の平面図である。
【００３３】
基板７０は、側面に凹部７２Ａ、７２Ｂ、７２Ｃ、７２Ｄ、７２Ｅ、７２Ｆ（図７参照）が設けられた略方形の基材７１上に各部材が載置されて成る。基材７１上には、押下スイッチ素子８０Ａ、揺動スイッチ素子８０Ｂ及び８０Ｃと、スペーサ部材７４と、保護シート７５とが載置される。スペーサ部材７４は、基材７１上の押下スイッチ素子８０Ａ、揺動スイッチ素子８０Ｂ及び揺動スイッチ素子８０Ｃの周囲に一律の厚みで配置され、保護シート７５がスペーサ部材７４及び各スイッチ素子８０Ａ、８０Ｂ、８０Ｃを覆っている（図８（ａ）参照）。
【００３４】
図６（ｂ）では、点線で押下スイッチ素子８０Ａ、揺動スイッチ素子８０Ｂ及び揺動スイッチ素子８０Ｃの位置が示されている。押下スイッチ素子８０Ａは基板７０の略中央に配置され、更に、基板７０の長手方向に沿って押下スイッチ素子８０Ａを挟むように揺動スイッチ素子８０Ｂ及び揺動スイッチ素子８０Ｃが配置される。押下スイッチ素子８０Ａは、中央固定接点８１Ａと、周辺固定接点８２Ａと、縁を周辺固定接点８２Ａに当接させて中央固定接点８１Ａには触れずに中央固定接点８１Ａを覆うタクトバネ８３Ａとから成る（図８（ａ）参照）。
【００３５】
揺動スイッチ素子８０Ｂは、中央固定接点８１Ｂと、周辺固定接点８２Ｂと、縁を周辺固定接点８２Ｂに当接させて中央固定接点８１Ｃには触れずに中央固定接点８１Ｂを覆うタクトバネ８３Ｂとから成る（図８（ａ）参照）。揺動スイッチ素子８０Ｃは、中央固定接点８１Ｃと、周辺固定接点８２Ｃと、縁を周辺固定接点８２Ｃに当接させて中央固定接点８１Ｃには触れずに中央固定接点８１Ｃを覆うタクトバネ８３Ｃとから成る（図８（ａ）参照）。
【００３６】
図７は、配線パターンを説明するための図である。
【００３７】
具体的には、図７に示す図は、基板７０のうち、保護シート７５と、スペーサ部材７４と、タクトバネ８３Ａ、８３Ｂ、８３Ｃとが除かれたものの平面図である。中央固定接点８１Ａは、スルーホール８４Ａ及び基材７１の下面に設けられた配線パターン８６Ａを介して、電極８８Ａと電気的に導通している。周辺固定接点８２Ａは、スルーホール８５Ａ及び基材７１の下面に設けられた配線パターン８７Ａを介して、電極８９Ａと電気的に導通している。
【００３８】
中央固定接点８１Ｂは、スルーホール８４Ｂ及び基材７１の下面に設けられた配線パターン８６Ｂを介して、電極８８Ｂと電気的に導通している。周辺固定接点８２Ｂは、スルーホール８５Ｂ及び基材７１の下面に設けられた配線パターン８７Ｂを介して、電極８９Ｂと電気的に導通している。
【００３９】
中央固定接点８１Ｃは、スルーホール８４Ｃ及び基材７１の下面に設けられた配線パターン８６Ｃを介して、電極８８Ｃと電気的に導通している。周辺固定接点８２Ｃは、スルーホール８５Ｃ及び基材７１の下面に設けられた配線パターン８７Ｃを介して、電極８９Ｃと電気的に導通している。
【００４０】
図８は多方向スイッチ１の図１（ａ）に示すＡＡ’線に沿った断面図である。
【００４１】
操作体３０は、第１押圧部３４を保護シート７５に当接させ、突起部３３ａ、３３ｂ、３３ｃ、３３ｄをカバー２０の裏面に当接させた状態で、基部３２を基板７０と略平行にして、多方向スイッチ１の長手方向略中央且つ短手方向略中央に配置されている。操作体３０の当該位置を操作体初期位置とする。
【００４２】
プランジャ４０は弾性部材５０上に載置され、プランジャ４０の面４５Ａには弾性部材５０の面５４Ａが、プランジャ４０の面４５Ｂには弾性部材５０の面５４Ｂがそれぞれ当接している。プランジャ４０の貫通孔４３は操作体３０の第１押圧部３４を貫通させている。プランジャ４０のリブ４６ａ及び弾性部材５０のリブ５２ａは、フレーム６０の凹部６２ａ及び保護シート７５に一部を囲まれ、プランジャ４０のリブ４６ｂ及び弾性部材５０のリブ５２ｂは、フレーム６０の凹部６２ｂ及び保護シート７５に一部を囲まれている。
【００４３】
弾性部材５０の基部５１ａ及び基部５１ｂはそれぞれ下面を保護シート７５に当接させている。プランジャ４０のリブ４６ａは、隆起部４７ａをフレーム６０の面６３ａに当接させ、プランジャ４０のリブ４６ｂは、隆起部４７ｂをフレーム６０の面６３ｂに当接させている。
【００４４】
このとき、変位部５３Ａは基部５１ａ及び基部５１ｂに対して弾性的に変位して角度θ１（図４（ｃ）参照）を増加させており、同様に、変位部５３Ｂは基部５１ａ及び基部５１ｂに対して弾性的に変位して角度θ２（図４（ｃ）参照）を増加させている。したがって、隆起部４７ａは面６３ａに、隆起部４７ｂは面６３ｂにそれぞれ圧接されており、凹部６２ａ及び凹部６２ｂは後述の揺動軸を保持している。
【００４５】
また、変位部５３Ａと変位部５３Ｂとは、基部５１ａ及び基部５１ｂについて対称的であるので、プランジャ４０は弾性部材５０によって、基板７０と略平行な状態に付勢されている。以上説明したプランジャ４０の位置をプランジャ初期位置とする。
【００４６】
プランジャ４０自体は変形せず、また、弾性部材５０は弾性力の高い素材の形状を加工するだけで成形することができる。したがって、プランジャ４０及び弾性部材５０という簡易な構成を有する部材のみによって、スライド操作によってスイッチ素子を駆動する機構を実現することが可能となる。
【００４７】
操作体３０の第１押圧部３４は、押下スイッチ素子８０Ａの上方に配置されている。また、プランジャ４０の第３押圧部４４Ａは、空隙及び保護シート７５を介して揺動スイッチ素子８０Ｂの上方に配置され、プランジャ４０の第３押圧部４４Ｂは、空隙及び保護シート７５を介して揺動スイッチ素子８０Ｃの上方に配置されている。
【００４８】
図９は押下操作時の多方向スイッチ１の図１（ａ）に示すＡＡ’線に沿った断面図である。
【００４９】
操作部３１を押圧して操作体３０を方向Ｐ１へ押下げると、操作体３０は、突起部３３ａ、３３ｂ、３３ｃ、３３ｄをカバー２０の裏面から離間させ、第１押圧部３４に当接した保護シート７５を介してタクトバネ８３Ａを押下げる。やがてタクトバネ８３Ａが反転して中央固定接点８１Ａに当接すると、中央固定接点８１Ａと周辺固定接点８２Ａとが導通し、押下スイッチ素子８０Ａがオンになる。
【００５０】
このとき、ウィング３２ａは溝部６１ａに、ウィング３２ｂは溝部６１ｂに、ウィング３２ｃは溝部６１ｃに、ウィング３２ｄは溝部６１ｄにそれぞれ没入するため、操作体３０を更にスライド操作することが妨げられる。したがって、押下操作時に誤って操作体３０を更にスライド操作してしまうことが防止される。
【００５１】
押下操作を止めると、タクトバネ８３Ａが弾性力により反転を解消して中央固定接点８１Ａと離間することにより、中央固定接点８１Ａと周辺固定接点８２Ａとの導通が解消し、押下スイッチ素子８０Ａはオフとなる。
【００５２】
図１０は方向Ｓ２へのスライド操作時の多方向スイッチ１の図１（ａ）に示すＡＡ’線に沿った断面図である。
【００５３】
操作部３１を押圧して操作体３０を方向Ｓ２へスライドすると、操作体３０の第２押圧部３５Ａがプランジャ４０の傾斜面４２Ａに当接する。更にスライドすると、傾斜面４２Ａが第２押圧部３５Ａによって押圧され、プランジャ４０は、隆起部４７ａ及び隆起部４７ｂを通る揺動軸を支点として方向Ｒ２へ揺動し、第３押圧部４４Ａが保護シート７５に当接する。このように、多方向スイッチ１においては、プランジャ４０は、操作体３０が揺動軸から遠ざかりながらスライドすることにより揺動するため、スライド操作の動作が軽くなる。
【００５４】
更に方向Ｒ２へ揺動すると、第３押圧部４４Ａが保護シート７５を介してタクトバネ８３Ｂを押下げ、やがてタクトバネ８３Ｂが反転して中央固定接点８１Ｂに当接すると、中央固定接点８１Ｂと周辺固定接点８２Ｂとが導通し、揺動スイッチ素子８０Ｂがオンになる。方向Ｓ２へのスライド操作時においては、弾性部材５０の変位部５３Ａは基部５１ａ及び基部５１ｂに対して更に弾性的に変位し、角度θ１（図４（ｃ）参照）を更に増加させる。
【００５５】
多方向スイッチ１の方向Ｓ２へのスライド操作時においては、操作体３０を押下げようとすると、ウィング３２ａの下面及びウィング３２ｃの下面が面６４ｃに当接し、ウィング３２ｂの下面が面６４ａに当接し、ウィング３２ｄの下面が面６４ｂに当接する。したがって、多方向スイッチ１の方向Ｓ２へのスライド操作時においては、操作体３０を押下げることができず、誤って操作体３０を更に押下操作してしまうことが防止される。
【００５６】
スライド操作を止めると、角度θ１は角度θ２よりも大きくなっているために面５４Ａが面４５Ａを押す力は面５４Ｂが面４５Ｂを押す力よりも大きく、その結果、弾性部材５０がプランジャ４０を上記揺動軸の周りに方向Ｒ２と逆の方向へ揺動させる。やがて第３押圧部４４Ａが保護シート７５から離れ、タクトバネ８３Ｂは弾性力により反転を解消して中央固定接点８１Ｂと離間し、中央固定接点８１Ｂと周辺固定接点８２Ｂとの導通が解消され、揺動スイッチ素子８０Ｂはオフとなる。一方、プランジャ４０は、角度θ１と角度θ２とが等しくなると揺動が止まり、プランジャ初期位置に復帰する。
【００５７】
操作体３０は、プランジャ４０が方向Ｒ２と逆の方向へ揺動するのに伴って第２押圧部３５Ａが傾斜面４２Ａに押されることで、方向Ｓ２と逆の方向にスライドする。やがてプランジャ４０がプランジャ初期位置に復帰してプランジャ４０の揺動が止まると、傾斜面４２Ａが第２押圧部３５Ａを押さなくなるため、操作体３０のスライドも止まる。したがって、操作体３０には、上述の操作体初期位置から、プランジャ初期位置にあるプランジャ４０の傾斜面４２Ａに第２押圧部３５Ａを当接させた位置まで、遊びが設けられている。しかしながら、プランジャ４０がプランジャ初期位置に復帰しても操作体３０が操作体初期位置に復帰するように、弾性部材によって操作体３０を付勢してもよい。
【００５８】
図１１は方向Ｓ３へのスライド操作時の多方向スイッチ１の図１（ａ）に示すＡＡ’線に沿った断面図である。
【００５９】
操作部３１を押圧して操作体３０を方向Ｓ３へスライドすると、操作体３０の第２押圧部３５Ｂがプランジャ４０の傾斜面４２Ｂに当接する。更にスライドすると、傾斜面４２Ｂが第２押圧部３５Ｂによって押圧され、プランジャ４０は、隆起部４７ａ及び隆起部４７ｂを通る揺動軸を支点として方向Ｒ３へ揺動し、第３押圧部４４Ｂが保護シート７５に当接する。このように、多方向スイッチ１においては、プランジャ４０は、操作体３０が揺動軸から遠ざかりながらスライドすることにより揺動するため、スライド操作の動作が軽くなる。
【００６０】
更に方向Ｒ３へ揺動すると、第３押圧部４４Ｂが保護シート７５を介してタクトバネ８３Ｃを押下げ、やがてタクトバネ８３Ｃが反転して中央固定接点８１Ｃに当接すると、中央固定接点８１Ｃと周辺固定接点８２Ｃとが導通し、揺動スイッチ素子８０Ｃがオンになる。方向Ｓ３へのスライド操作時においては、弾性部材５０の変位部５３Ｂは基部５１ａ及び基部５１ｂに対して更に弾性的に変位し、角度θ２（図４（ｃ）参照）を更に増加させる。
【００６１】
多方向スイッチ１の方向Ｓ３へのスライド操作時においては、操作体３０を押下げようとすると、ウィング３２ｂの下面及びウィング３２ｄの下面が面６４ｄ当接し、ウィング３２ａの下面が面６４ａに当接し、ウィング３２ｃの下面が面６４ｂに当接する。したがって、多方向スイッチ１の方向Ｓ３へのスライド操作時においては、操作体３０を押下げることができず、誤って操作体３０を更に押下操作してしまうことが防止される。
【００６２】
スライド操作を止めると、角度θ２は角度θ１よりも大きくなっているために面５４Ｂが面４５Ｂを押す力は面５４Ａが面４５Ａを押す力よりも大きく、その結果、弾性部材５０がプランジャ４０を上記揺動軸の周りに方向Ｒ３と逆の方向へ揺動させる。やがて第３押圧部４４Ｂが保護シート７５から離れ、タクトバネ８３Ｃは弾性力により反転を解消して中央固定接点８１Ｃと離間し、中央固定接点８１Ｃと周辺固定接点８２Ｃとの導通が解消され、揺動スイッチ素子８０Ｃはオフとなる。一方、プランジャ４０は、角度θ１と角度θ２とが等しくなると揺動が止まり、プランジャ初期位置に復帰する。
【００６３】
操作体３０は、プランジャ４０が方向Ｒ３と逆の方向へ揺動するのに伴って第２押圧部３５Ｂが傾斜面４２Ｂに押されることで、方向Ｓ３と逆の方向にスライドする。やがてプランジャ４０がプランジャ初期位置に復帰してプランジャ４０の揺動が止まると、傾斜面４２Ｂが第２押圧部３５Ｂを押さなくなるため、操作体３０のスライドも止まる。したがって、操作体３０には、上述の操作体初期位置から、プランジャ初期位置にあるプランジャ４０の傾斜面４２Ｂに第２押圧部３５Ｂを当接させた位置まで、遊びが設けられている。しかしながら、プランジャ４０がプランジャ初期位置に復帰しても操作体３０が操作体初期位置に復帰するように、弾性部材によって操作体３０を付勢してもよい。
【００６４】
図１２は本発明に係る他の多方向スイッチ２の分解斜視図であり、図１３は押下操作時の多方向スイッチ２の図１２に示すＢＢ’線に沿った断面図である。
【００６５】
多方向スイッチ２においては、操作体２３０は操作釦２３０Ａ及び保持部２３０Ｂから成り、その他の構成は多方向スイッチ１と同様である。操作釦２３０Ａに設けられた突起２３１を真下に押圧すると、操作釦２３０Ａが基板２６０に向かって押下され、押下スイッチ素子２８０Ａがオンオフ動作する。一方、突起２３１を水平に押圧すると、操作釦２３０Ａと保持部２３０Ｂが一体となってスライドし、保持部２３０Ｂがプランジャ２４０を揺動させることにより、揺動スイッチ素子２８０Ｂ又は揺動スイッチ素子２８０Ｃがオンオフ動作する。
【００６６】
多方向スイッチ１における操作体３０では、押下操作時にウィング３２ａ、３２ｂ、３２ｃ、３２ｄがフレームの溝部６１ａ、６１ｂ、６１ｃ、６１ｄに没入するため、当該没入によって生じる操作体３０とフレーム６０間の摩擦が大きい。そこで、多方向スイッチ２における操作部２３１においては、押下操作時に操作釦２３０Ａのみが押下げられる構成を有している。したがって、フレーム２６０には、操作釦２３０Ａのエッジ２３０Ａａ及び２３０Ａｂが没入する為の溝部２６０ａ及び２６０ｂのみを設けるだけでよい。以上より、多方向スイッチ２においては、押下操作による部材間の摩擦を軽減することが可能となる。
【符号の説明】
【００６７】
１、２    多方向スイッチ
２０、２２０    カバー
３０、２３０    操作体
４０、２４０    プランジャ
５０、２５０    弾性部材
６０、２６０    フレーム
７０、２７０    基板
８０Ａ、８０Ｂ、８０Ｃ、２８０Ａ、２８０Ｂ、２８０Ｃ    スイッチ素子
【図１】
0006399909.tif 000002
【図２】
0006399909.tif 000003
【図３】
0006399909.tif 000004
【図４】
0006399909.tif 000005
【図５】
0006399909.tif 000006
【図６】
0006399909.tif 000007
【図７】
0006399909.tif 000008
【図８】
0006399909.tif 000009
【図９】
0006399909.tif 000010
【図１０】
0006399909.tif 000011
【図１１】
0006399909.tif 000012
【図１２】
0006399909.tif 000013
【図１３】
0006399909.tif 000014